(57)【要約】【課題】従来のプリザーブドフラワーに香りを付加する方法では、吸収された香り物質を、プリザーブドフラワーが発散できなかった。また、人間の嗅覚で感じとれる香りを付加することは難しかった。よって、香り付きのプリザーブドフラワーアレンジメントを制作することも難しかった。【解決手段】本発明は香りを付加し、発散させることが難しいプリザーブドフラワー自体には香りづけをせずに、副材としてアレンジメントを構成する立体成形されたリボンや、装飾用シナモンスティック、造花に香りを付加することで、プリザーブドフラワーを含むアレンジメント全体が香るようにした。    【選択図】図１
2018150647.tif 000002
【特許請求の範囲】
【請求項１】
プリザーブドフラワーと副材とを備えたプリザーブドフラワーアレンジメントにおいて、前記副材は香料を含む液体をしみこませた含浸部材を取り付けたものか、又は副材自体に香料を含む液体をしみこませてあることを特徴とするプリザーブドフラワーアレンジメント。
【請求項２】
前記副材として装飾用リボンを立体成形し、このリボンに前記含浸部材を取り付けたものを含むことを特徴とする請求項１に記載のプリザーブドフラワーアレンジメント。
【請求項３】
前記副材としてシナモン樹皮に前記香料を含む液体をしみこませたものを含むことを特徴とする請求項１又は２に記載のプリザーブドフラワーアレンジメント。
【請求項４】
前記副材として前記香料を含む液体をしみこませた造花を含むことを特徴とする請求項１〜３のいずれか１項に記載のプリザーブドフラワーアレンジメント。
【請求項５】
前記プリザーブドフラワー及び／又は前記副材を固定するためのフローラルフォームを有し、このフローラルフォームには、前記香料を含む液体をしみこませてあることを特徴とする請求項１〜４のいずれか１項に記載のプリザーブドフラワーアレンジメント。
【発明の詳細な説明】
【技術分野】
【０００１】
本発明は香料の香りがするプリザーブドフラワーアレンジメントに関する。          
【背景技術】
【０００２】
従来プリザーブドフラワーには香りづけが難しく、特許文献１特開2003-137701号公報の方法においても、長期間香りを保たせることが難しかった。よって、香りづけしたプリザーブドフラワーを使用したアレンジメントを作成することも、難しかった。
【先行技術文献】
【特許文献】
【０００３】
【特許文献１】特開2003-137701号公報
【発明の概要】
【発明が解決しようとする課題】
【０００４】
本来香りのないプリザーブドフラワーに、香りを付加する方法として特許文献１の特開2003-137701号公報が知られているが、特開2003-137701号公報の方法では十分な効果が得られなかった。
【０００５】
特開2003-137701号公報の方法では、好ましい一例として、香りを保持する保留剤に植物素材を載置する工程において、エッセンシャルオイル（精油）などの液体の香り物質をあらかじめ粒状体の保留剤に浸透させ、浸透された香り物質が保留剤から植物素材に浸透するように、茎、葉の葉脈、花の花芯などの植物素材の先端を粒状体の保留剤に差して載置する。植物素材は、ドライフラワーなどのように乾燥させてあるために、生花のような吸水力はないものの、植物繊維が多くは茎などの方向に沿って配列しているために、特に液体の香り物質を用いた場合には、多孔質の素材、表面がざらついた保留剤及び保留剤同士の隙間に保持させられた液体の香り物質が、毛細管現象により素材植物素材の先端から植物繊維を伝わって素材全体に移りやすい、とある。
【０００６】
前記の方法でプリザーブドフラワーに香りを付加しても、人間の鼻であまり香りを感じられないのは、吸収された香り物質を、プリザーブドフラワーが発散できないためであると考えられる。よって、プリザーブドフラワー自体に香りを付加し、香りを発散させ、人間の嗅覚に訴えることは難しいと考えられる。
【０００７】
また、一度特許文献１特開2003-137701号公報の方法で作られた香り付きのプリザーブドフラワーを、花束や花器に入れたアレンジメントとして制作に使用してしまうと、香りが弱まった後に香りを追加することはできない。
【０００８】
よって、後からでも香りを追加できる、全体として香りがするプリザーブドフラワーを使用したアレンジメントや花束を実現するのが課題であった。本発明はプリザーブドフラワーアレンジメントに容易に香りづけすることができ、香りの追加も容易なプリザーブドフラワーアレンジメントを提供することを目的とする。
【課題を解決するための手段】
【０００９】
本発明に係るプリザーブドフラワーアレンジメントは、プリザーブドフラワーと副材とを備えたプリザーブドフラワーアレンジメントにおいて、前記副材は香料を含む液体をしみこませた含浸部材を取り付けたものか、又は副材自体に香料を含む液体をしみこませてあることを特徴とする。
【発明の効果】
【００１０】
本発明では、プリザーブドフラワーアレンジメントの制作過程において、好みの香りを簡単に香りづけできる。
また、香りは人間の鼻で約３週間感じ取られ、香りが弱まったと感じられた後からも、香りを追加することができる。
【図面の簡単な説明】
【００１１】
【図１】本発明の全体図である
【図２】前記の図１における符号４の装飾用布製リボンを立体成形し、ワイヤーでまとめる際に香料を染み込ませたコットンを挟み込み、まとめ上げた装飾物４の形成方法をまとめた図である
【発明を実施するための形態】
【００１２】
以下図面を参照にして本発明の実施の形態を説明する。図1は、本発明の全体図である。図中の符号1は、アレンジメント全体が集約されている容器である。このアレンジメント全体が集約されている容器１は例えば、陶器、プラスチック、木材、ガラス、ホウロウ、ワイヤー成形物、樹皮、アクリル又は蔓を素材として形作られたものである。アレンジメント全体が集約されている容器１は、一般的な花瓶やコップに等しい立体的な形状である場合もあれば、平面である場合もある。
【００１３】
前記のアレンジメント全体が集約されている容器１が立体的形状物である場合においてはその内部に、平面的形状である場合にはその上に、アレンジメントを構成する花材、資材を固定するためのフローラルフォーム２が設置されている。このフローラルフォーム２は、例えば、スポンジで形成されている。このドライ用フローラルフォーム２は、通常の市販されているプリザーブドフラワーアレンジメント固定用のスポンジであり、ワイヤーで留められた花材、資材を差して固定するものである。アレンジメントを構成する花材、資材を固定するためのフローラルフォーム２があることで、ひとつひとつの花材、資材が動かないように固定される。                                                     
【００１４】
図中の符号３は、プリザーブドフラワーである。プリザーブドフラワー３とは、生花を脱水作用を持つ脱色液に浸け、生花本来の色を脱色させた後に、潤滑液入りの着色液に浸して人工的に着色し、乾燥させた花である。生花に似たみずみずしい外観を保っているが、上記の人工的な工程を経た花であり、水やりを必要としないで、長期間みずみずしい外観を保つ。
製造工程において脱水脱色するため、花粉や香りが一切なくなることを特徴とする。
【００１５】
1970年代の終わりに長寿な切り花として、ブリュッセル大学とベルリン大学、フランスのベルモンド社の共同研究からスタートし、1987年完成し、1991年ベルモント社がプリザーブド加工技術の国際特許を取得した。日本へは1993年「日本高級インテリア市場国際貿易展」に出品された。花粉と香りがなく、水やりの必要がなく枯れないため、病院へ持ち込む見舞い花、仏壇や会社、医院受付を飾る花、ウエディングブーケ、ウエディングリングピロー、ウエディングウェルカムボード利用、開業祝い、還暦祝い、長寿祝い、成人祝い、敬老の日利用、母の日利用、ホワイトデー利用、バレンタインデー利用、歓送迎会利用、退職祝い、卒業祝い、誕生祝い、結婚祝い、合格祝い、昇進祝い、結婚式両親贈呈花、入学祝い、入社祝い、出産祝い、新築祝い、改築祝い、引越し祝い、出演祝い、公演祝い、送別会利用、プロポーズ時のプレゼント、自宅を飾るインテリア花、楽屋花としての需要がある。
【００１６】
アルコール性溶液である着色液は人体に無害なものであり、外部圧力ではなく、生花が自分の力で着色液を吸い上げる。自然界の生花には存在しない色のアルコール性溶液である着色液を吸わせることができるため、生花にはない色合いのプリザーブドフラワー３が得られる。色のバリエーションが豊富である。
【００１７】
プリザーブドフラワー３は特殊な加工花であるため、生花と比較すると3から5倍の価格で流通している。一輪あたりの単価が高いことが特徴である。鑑賞期間は生花の数十倍であることも特徴である。
【００１８】
プリザーブドフラワー３は特殊な加工工程を経た花であるため、湿気と乾燥に弱い。湿度が高い場所に長時間置かれた場合、花弁が半透明になり、アルコール性溶液である着色液が花弁表面にしずく状に浮き上がってくることもある。乾燥した場所に移動させると、アルコール性溶液である着色液は再び花弁の中に吸い取られてゆく。可燃性のため、火気厳禁である。壁や床に直接触れるとアルコール性溶液である着色液が滲出して色移りすることもある。生花由来の加工花のため、虫やカビが付着することもある。最適な温度は15度から25度、最適な湿度は30%から55%である。10℃以上の急激な温度変化はプリザーブドフラワー３の変色の原因になり得る。色の変化は同系色である。加工直後に紫であればピンクに、水色であれば灰色になることがある。湿度30%以下になると乾燥が進み、花弁がひび割れ、欠けることがある。輸送中の振動によってもひび割れ、欠けは生ずる。ひび割れて欠けた部分が再びくっつくことはない。見栄えが悪い場合は、ハサミでひび割れ欠けた部分をカットして、ひび割れ欠けを目立たなくさせることもできる。経年劣化により、プリザーブドフラワー３全体がもろくなり、花弁が外れるようになった場合には、高温ノリで接着する工具グルーガンで、花弁を接着することもできる。長期間鑑賞にたえるという性質上、ホコリが花弁や萼に付着することも考えられる。ホコリが花弁や萼に付着した場合には、プリザーブドフラワー３上のホコリにドライヤーの冷風を当てて吹き飛ばすか又は、羽毛、筆を用いてホコリを払う。
【００１９】
生花に似た外観にもかかわらず、生花とは違う取り扱い注意事項があるため、ギフトとして利用される場合には、アレンジメント製品に取扱説明書を同封する方が良い。
プリザーブドフラワー３のプリザーブドという言葉は英語で、「保存された」という意味を持つが、日本人には聞きなれない言葉のため、「ブリザードフラワー」と間違って発音されることもある。ブリザードとは英語で「吹雪」を表し、「ブリザードフラワー」というものはない。
【００２０】
プリザーブドフラワー３は加工の工程において脱水脱色しているため、生花本来の香りと花粉がないことが特徴である。香りのないプリザーブドフラワー３に香りを付加する方法として特許文献１が知られているが、特許文献１では、香りを保つことができず、人の嗅覚ではほとんど香りを感じることができなかった。
【００２１】
プリザーブドフラワー３に適している花の種類は花弁の枚数の多いものである。バラとカーネーションが代表として挙げられる。花弁の枚数の少ない花、花弁が外れやすい花は加工過程で破損する可能性が高まるため、適さない。
【００２２】
図中の符号４は、装飾用布製リボンを立体成形し、ワイヤーでまとめる際に香料を染み込ませたコットンを挟み込み、まとめ上げた装飾物である。リボンの材質は例えば、綿、ポリエステル、麻、ナイロン、ラメフィルム、ワイヤー、プラスチック、ポリプロピレンである。色とデザインは多岐にわたる。幅、長さもプリザーブドフラワー３アレンジメントのデザインの多様性に比例して、様々である。大きさはアレンジメント全体の大きさに比例して大きくなり、数はアレンジメント全体の大きさに比例して多くなる傾向にある。リボンの色はアレンジメント全体の配色を考慮し、プリザーブドフラワー３自体の色と同系色であることもあれば、インパクトのあるアレンジメントという印象を与えるために反対色である場合もあり、一定の制限はない。ワイヤーはプリザーブドフラワー３アレンジメント制作用の地巻きワイヤー、又は裸ワイヤーであり、太さはno.20からno.26である。本発明の装飾物４は、上記の装飾用布製リボンを立体成形し、ワイヤーでまとめる際に香料を染み込ませたコットンを挟み込み、まとめ上げたものである。
【００２３】
次に、図２を参照にして、この装飾物４の製造方法について説明する。図２は布製リボン１０を立体成形し、ワイヤーでまとめる際に香料を染み込ませたコットンを挟み込み、これらをまとめ上げたことにより、装飾物４を形成する方法を示す図である。
【００２４】
図中の符号１０は、装飾用布製リボンであり、その材質は例えば、綿、ポリエステル、麻、ナイロン、ラメフィルム、ワイヤー、プラスチック、ポリプロピレンである。色とデザインは多岐にわたる。幅、長さもプリザーブドフラワー３アレンジメントのデザインの多様性に比例して、様々である。
【００２５】
図中の符号１１は、化粧用コットンパフを、装飾用布製リボン１０の大きさに合わせてハサミで切り、香料１２を染み込ませたコットンパフであり、含浸部材である。前記の装飾用布製リボン１０の大きさに合わせてハサミで切ったコットンパフを、前記の装飾用布製リボン１０の中央に載置する。そして前記の装飾用布製リボンを半分の大きさにたたむ。
前記の装飾用布製リボンの２つの端を、前記含浸部材を取り付けた中央部に向かってもう一度折り返す。
【００２６】
香料１２を含む含浸部材であるコットンパフ１１を挟み込んだまま、ワイヤー１３を巻き付ける。なお、図１の追加用香料９は、装飾物４を製造する過程で使用する香料１２を希釈したものとすることができる。
【００２７】
図中の符号５は、プリザーブドフラワー３のあじさいである。プリザーブドフラワー３アレンジメントは、構成のメインであるプリザーブドフラワー３自体が生花よりも高価であるため、全体のボリュームに欠け、寂しい印象を与えやすい。そこでアレンジメント全体にボリュームを持たせるため、多くの副資材を必要とするが、特に、全ての構成要素がワイヤーでまとめられ、アレンジメントを構成する花材、資材を固定するためのスポンジ２に差される足元の部分が、ワイヤーが見えやすく、見栄えに問題がある。そこでプリザーブドフラワー３のあじさい５を前記のワイヤーが見えてしまう部分を隠すために配置する。そのためプリザーブドフラワー３のあじさい５は、プリザーブドフラワー３、装飾用布製リボンを立体成形し、ワイヤーでまとめる際に香料を染み込ませたコットンを挟み込み、まとめ上げた装飾物４、後述のソラの木の皮を乾燥させ、花の形に形成した造花、ドライフラワーよりも低い位置に配置される。プリザーブドフラワー３のあじさい５は、弾力性に富み、プリザーブドフラワー３の他の種類の花と違い、花弁がひび割れたり欠けることがほとんどない。よって、アレンジメントを作成する際に長く手に触れていても、その外観に変化はない。
【００２８】
このプリザーブドフラワー３のあじさい５を、装飾用布製リボンを立体成形し、ワイヤーでまとめる際に香料を染み込ませたコットンを挟み込み、まとめ上げた装飾物４の左右側面と後方に接触した状態で、装飾用布製リボンを立体成形し、ワイヤーでまとめる際に香料を染み込ませたコットンを挟み込み、まとめ上げた装飾物４よりも低い位置に配置する。
【００２９】
前記のプリザーブドフラワー３のあじさい５を装飾用布製リボンを立体成形し、ワイヤーでまとめる際に香料を染み込ませたコットンを挟み込み、まとめ上げた装飾物４の左右側面と後方に接触した状態で、装飾用布製リボンを立体成形し、ワイヤーでまとめる際に香料を染み込ませたコットンを挟み込み、まとめ上げた装飾物４よりも低い位置に配置する配置により、装飾用布製リボンを立体成形し、ワイヤーでまとめる際に香料を染み込ませたコットンを挟み込み、まとめ上げた装飾物４に付加しておいた香り成分が揮発し、香りが弱くなった時にも、プリザーブドフラワー３のあじさい５を、手指で容易にかきわけ、装飾用布製リボンを立体成形し、ワイヤーでまとめる際に香料を染み込ませたコットンを挟み込み、まとめ上げた装飾物４のコットンが挟まれている下部に、後述の追加用香料を容易に垂らすことができ、一度弱くなった香りを再び強くできる。
【００３０】
図中の符号６は、装飾用シナモンスティックを布製リボンで結び合わせ、香料を付加した装飾物である。シナモンスティックとはシナモンの樹皮を薄くはいで乾燥させ、丸まって棒状になったものである。食することはできないが、シナモンスティック自体にシナモンの香りがあるため、料理の香りづけに利用されることもある。茶色くナチュラルでおしゃれな外観であるため、ボリュームに欠けるプリザーブドフラワー３アレンジメントの副資材として、プリザーブドフラワー３アレンジメントのボリュームアップのために用いられる。
【００３１】
図中の符号７は、ソラの木の皮を乾燥させ、花の形に形成した造花に香料を付加したものである。ソラの木はタイの水田地帯に生える木である。ソラの木の皮を乾燥させ、花の形に形成した造花は、様々な色に染色されて流通している。軽量で安価であるため、アレンジメントに用いても安全でボリュームアップに役立つ。前記のソラ木の皮を乾燥させ、花の形に形成した造花にも香料を付加することが可能であるため、プリザーブドフラワー３アレンジメント全体が香る印象を与えるために、ソラ木の皮を乾燥させ、花の形に形成した造花にも香料を付加する。
【００３２】
図中の符号８は、ドライフラワーである。ドライフラワー８は、草花や果実を乾燥させたもので、室内装飾品として用いられる。プリザーブドフラワー３に比べ、外観の瑞々しさでは見劣りがするが、プリザーブドフラワー３に比べて製造工程が単純で安価であるため、プリザーブドフラワー３アレンジメントにボリュームを持たせたい時に使う。プリザーブドフラワー３アレンジメントの全体のデザイン性に合うドライフラワー８を用いて、プリザーブドフラワー３アレンジメントを制作することにより、プリザーブドフラワー３アレンジメントのバリエーションが増える。
【００３３】
図中の符号９は、追加用香料である。追加用香料９は、市販のポプリオイル、精油と無水エタノールと精製水を合わせたものを小型アトマイザーに注入したものである。人肌に触れても安全であり、香水としても使用できる。どのような香りのポプリオイル、精油を使用するかによって香りの種類が異なる。図１の香り付きプリザーブドフラワー３アレンジメントは、様々な良好な精神的作用を及ぼす室内装飾物として利用されるが、芳香成分は揮発性のものであるため、時間の経過とともに香りが感じられにくくなる。最終的に香りが消えてしまった後でも、プリザーブドフラワー３アレンジメントとしての外観は保っているため、香りなしで鑑賞することももちろんできるが、フレッシュな香りをそのまま楽しむためには、芳香成分を追加していく必要がある。追加用香料９は、香り付きプリザーブドフラワー３アレンジメントの制作方法について何も知らない人でも、容易に安全に芳香成分を追加できる。
【００３４】
そもそも香り付きプリザーブドフラワー３アレンジメントは、プリザーブドフラワー３をメイン花材として使用している室内装飾物であり、湿気に弱く、水分を直接かけてはいけないプリザーブドフラワー３に直接香りづけすることは特許文献１の方法でも難しかったため、装飾用布製リボンを立体成形し、ワイヤーでまとめる際に香料を染み込ませたコットンを挟み込み、まとめ上げた装飾物４、装飾用シナモンスティックを布製リボンで結び合わせ、香料を付加した装飾物６、ソラの木の皮を乾燥させ、花の形に形成した造花に香料を付加したもの７をプリザーブドフラワー３アレンジメントの構成要素として利用することが適切であった。前記の３構成要素装飾用布製リボンを立体成形し、ワイヤーでまとめる際に香料を染み込ませたコットンを挟み込み、まとめ上げた装飾物４、装飾用シナモンスティックを布製リボンで結び合わせ、香料を付加した装飾物６、ソラの木の皮を乾燥させ、花の形に形成した造花に香料を付加したもの７がプリザーブドフラワー３の周りを囲むように配置されることによって、プリザーブドフラワー３アレンジメントの全体が香るように印象付けることができる。
特許文献１の方法では、香りが消えてしまった後のプリザーブドフラワー３アレンジメントに香りを追加する方法がなく、長くプリザーブドフラワー３アレンジメントの外観の美しさと香りを同時に楽しむことができない。
【００３５】
前記の３構成要素装飾用布製リボンを立体成形し、ワイヤーでまとめる際に香料を染み込ませたコットンを挟み込み、まとめ上げた装飾物４、装飾用シナモンスティックを布製リボンで結び合わせ、香料を付加した装飾物６、ソラの木の皮を乾燥させ、花の形に形成した造花に香料を付加したもの７がプリザーブドフラワー３の周りを囲むように配置されることによって、プリザーブドフラワー３アレンジメントの全体が香るように印象付けることができ、なおかつ香りが弱まってしまった時にも香り成分を容易に安全に追加することによって、様々な良好な精神的作用を及ぼす室内装飾用品としてより長い期間鑑賞することができる。
【００３６】
追加用香料９は、前記の３構成要素装飾用布製リボンを立体成形し、ワイヤーでまとめる際に香料を染み込ませたコットンを挟み込み、まとめ上げた装飾物４、装飾用シナモンスティックを布製リボンで結び合わせ、香料を付加した装飾物６、ソラの木の皮を乾燥させ、花の形に形成した造花に香料を付加したもの７のいずれにも噴霧可能ではあるのだが、装飾用布製リボンを立体成形し、ワイヤーでまとめる際に香料を染み込ませたコットンを挟み込み、まとめ上げた装飾物４のワイヤーでまとめた根本の部分にピンポイントで噴霧することが一番適切である。その理由は、装飾用布製リボンを立体成形し、ワイヤーでまとめる際に香料を染み込ませたコットンを挟み込み、まとめ上げた装飾物４のワイヤーでまとめた根本の部分は、ワイヤー部分が見えてしまうのを隠すために通常プリザーブドフラワー３のあじさい５の中に埋没しており、また、プリザーブドフラワー３のあじさい５は丈夫で衝撃に強くひび割れや欠けの心配がないので誰でも手指で容易にかきわけ、装飾用布製リボンを立体成形し、ワイヤーでまとめる際に香料を染み込ませたコットンを挟み込み、まとめ上げた装飾物４のワイヤーでまとめた根本の部分に追加用香料９を噴霧することが容易であるからである。装飾用シナモンスティックを布製リボンで結び合わせ、香料を付加した装飾物６、ソラの木の皮を乾燥させ、花の形に形成した造花に香料を付加したもの７の２構成要素は通常その表面を鑑賞する人の目線の方に向けて配置されているため、プリザーブドフラワー３のあじさい５の中に埋没していることはない。目立つ場所に配置されているので、追加用香料９のアトマイザーで噴霧しようとするとき、アトマイザーを遠くに離して噴霧してしまうと、噴霧される範囲が広範囲に渡ってしまい、周囲に隣接して配置されているプリザーブドフラワー３やプリザーブドフラワー３のあじさい５や、ドライフラワー８の表面に追加用香料が思いがけず噴霧されてしまう可能性があり、湿度を嫌うプリザーブドフラワー３にとっては良くないからである。
【００３７】
以上のように、本発明の香り付きプリザーブドフラワー３のアレンジメントは、プリザーブドフラワー３単体に香りを付加しようとするものではなく、プリザーブドフラワー３を含む香るアレンジメントとして、全体を構成している。本来香りがなく、また、特許文献１の方法でも香りを付加することが難しいプリザーブドフラワー３を囲むようにして隣接して配置された３つの構成要素、装飾用布製リボンを立体成形し、ワイヤーでまとめる際に香料を染み込ませたコットンを挟み込み、まとめ上げた装飾物４、装飾用シナモンスティックを布製リボンで結び合わせ、香料を付加した装飾物６、ソラの木の皮を乾燥させ、花の形に形成した造花に香料を付加したもの７があることで香り付きプリザーブドフラワー３アレンジメントを実現できた。更に、時間の経過とともに揮発性の香り成分が弱まったときに、追加用香料９を用いることで、香り付きプリザーブドフラワー３アレンジメントの制作工程を知らない人でも、容易に安全に香り成分を追加できることを特徴とする。
【００３８】
プリザーブドフラワー３は染色技術の進歩によって、多様な色のプリザーブドフラワー３が市場に流通している。一般的にプリザーブドフラワー３アレンジメントのメイン構成要素としてまずはどんな色のプリザーブドフラワー３を選ぶかは全体のデザインに大きな影響を及ぼす。同様に、プリザーブドフラワー３を囲むように配置されている副資材についても、どれを選んで配置するかは全体のデザインに影響を及ぼす。よって、意図するデザインにそぐわない時には、図中の符号４，６，７，８の全ての副資材を使用するわけではない。
【００３９】
しかし香り付きプリザーブドフラワー３アレンジメントに限って言えば、できる限り図中の符号４，６，７の副資材を使用することが香りを感じやすくするためには望ましい。だが、装飾用シナモンスティックを布製リボンで結び合わせ、香料を付加した装飾物６、ソラの木の皮を乾燥させ、花の形に形成した造花に香料を付加したもの７は、ナチュラルな外観を特徴としているため、例えば結婚式のブーケなどのプリザーブドフラワー３アレンジメントには用途にそぐわず利用しづらい。先の理由から、香り付きプリザーブドフラワー３アレンジメントは、装飾用布製リボンを立体成形し、ワイヤーでまとめる際に香料を染み込ませたコットンを挟み込み、まとめ上げた装飾物４が構成要素として必須であることを条件とする。
【符号の説明】
【００４０】
１：アレンジメント全体が集約されている容器
２：アレンジメントを構成する花材、資材を固定するためのドライ用フローラルフォームと呼ばれるスポンジ
３：プリザーブドフラワー
４：装飾用布製リボンを立体成形し、ワイヤーでまとめる際に香料を染み込ませたコットンを挟み込み、まとめ上げた装飾物
５：プリザーブドフラワー３のあじさい
６：装飾用シナモンスティックを布製リボンで結び合わせ、香料を付加した装飾物
７：ソラの木の皮を乾燥させ、花の形に形成した造花に香料を付加したもの
８：ドライフラワー
９：追加用香料
【図１】
2018150647.tif 000003
【図２】
2018150647.tif 000004